(57)【要約】【課題】コスト増大を招くことなく、タブレット端末等の物品を安定して載置可能な構造を有する音響調整コンソールを提供する。【解決手段】音声信号処理のパラメータの値を調整するための複数の操作子を備えるチャンネルストリップが複数列並んで設けられた操作盤と、物品が載置可能な平坦なブランク領域を備える載置盤と、前記操作盤と前記載置盤とを接続する段差面とを筐体上面部に有し、前記操作盤が上段、前記載置盤が下段となるように前記段差面が設けられ、前記ブランク領域は前記段差面側が低くなるように傾斜している音響調整コンソール。【選択図】図１
2015076787.tif 000002
【特許請求の範囲】
【請求項１】
信号処理チャンネルにおける音声信号処理のパラメータの値を調整するための複数の操作子を備えるチャンネルストリップが複数列並んで設けられた操作盤と、
物品が載置可能な平坦なブランク領域を有する載置盤と、
前記操作盤と前記載置盤とを接続する段差面と
を筐体上面部に有し、
前記操作盤が上段、前記載置盤が下段となるように前記段差面が設けられ、
前記ブランク領域は、前記段差面側が低くなるように傾斜していることを特徴とする音響調整コンソール。
【請求項２】
前記載置盤は、前記パラメータに関する情報を含む任意の情報を表示可能なディスプレイを備えるディスプレイ盤であることを特徴とする請求項１に記載の音響調整コンソール。
【請求項３】
前記ブランク領域の表面の傾斜角度は、水平面に対して１５°〜４０°であることを特徴とする請求項１または２に記載の音響調整コンソール。
【請求項４】
前記段差面による前記操作盤と前記載置盤との高さの差は８ｍｍ〜１６ｍｍであることを特徴とする請求項１から３のいずれかに記載の音響調整コンソール。
【請求項５】
前記操作盤、前記載置盤および前記段差面は、１枚の金属板の折り曲げ加工により連続して形成されていることを特徴とする請求項１から４のいずれかに記載の音響調整コンソール。
【請求項６】
前記操作盤は第１金属板により形成され、前記載置盤は第２金属板により形成され、
これら第１金属板および第２金属板は前記段差面を形成するように結合されていることを特徴とする請求項１から５のいずれかに記載の音響調整コンソール。
【発明の詳細な説明】
【技術分野】
【０００１】
本発明は、ミキシングコンソール等の音響調整コンソールに関する。
【背景技術】
【０００２】
複数の音源（音声信号）を入力され、混合して出力するミキサー等の音響調整機器においては、各信号処理チャンネルに入力された音源ごとに音量や音質を調整するために、各種操作子を備えるチャンネルストリップが複数備えられている。
【０００３】
入力された音声信号をアナログ処理するアナログミキサーに加えて、近年では、入力された音声信号をデジタルに変換してから処理するデジタルミキサーも多く用いられている。いずれの場合も、各チャンネルではゲイン調整、イコライザ、パン調整、主音量調整（フェーダー）などの信号処理が行われる。アナログミキサーでは、信号処理チャンネル数分のチャンネルストリップが操作パネル上に複数設けられ、かつ、各チャンネルストリップには複数の各信号処理に関するパラメータを個別に制御する多数の操作子が設けられるため、操作パネルが大型化する。デジタルミキサーの場合は、１つのチャンネルストリップを任意の信号処理チャンネルに割り当てることができ、また、ある操作子を複数の各信号処理のパラメータのうちの、所望のパラメータに割り当てて制御することができるので、操作パネルに配置するチャンネルストリップ乃至操作子の数を減らして筐体をコンパクトにすることができる。複数のチャンネルストリップを筐体上面部に有するコンソールタイプのミキサーは、ミキシングコンソール等と呼ばれている。
【０００４】
デジタルミキサー（デジタル方式のミキシングコンソール）では一般に、各種設定のため本体にディスプレイが備えられている。また、音質、音量の調整、ディレイ、リバーブなどの信号処理がソフトウェアにより実現され、半導体（ＣＰＵ、ＤＳＰ、メモリ等）の高集積化や高速化等により、内部に配置する回路素子やプリント基板等の面積を、アナログミキサーに比べて大幅に小さくすることができ、これによりさらなる多機能・省スペース化が可能となっている。
【０００５】
このようなミキシングコンソールにおいて、例えば特許文献１に記載されているように筐体上部にスピーカー、キーボード、マウスなどを載置可能な構造や、特許文献２に記載されているように多数のチャンネルを備えながら装置幅が狭く、省スペース化が可能な構造などが提案されている。また、特許文献３には、ミキシングコンソールの操作盤上に台本置き台を有する構造が提案されている。
【先行技術文献】
【特許文献】
【０００６】
【特許文献１】特開２０１０−１７１２２７号公報
【特許文献２】特開２０１０−２２６２６１号公報
【特許文献３】特開平０５−１２３２２４号公報
【発明の概要】
【発明が解決しようとする課題】
【０００７】
アナログ方式のミキシングコンソールでは各操作子に単一の機能が割り当てられるため、多数の操作子がチャンネルストリップに備えられ、操作パネルのほぼ全面に操作子が配列される。これに対して、デジタル方式のミキシングコンソールでは、操作子の数を減らすことができるので、操作パネルに設定用のディスプレイを 配置したとしても、操作子等のないブランク領域を操作パネル等に設けることができる。
【０００８】
また近年では、液晶画面に指を触れて操作するタブレット端末が一般的に利用されるようになっており、このようなタブレット端末をサブディスプレイを兼ねたリモートコントローラとするなどの機能を備えるミキサーも開発されている。このため、タブレット端末をミキサーの操作部近傍に置いて作業することが想定される。
【０００９】
この場合、特許文献３に記載のミキサーのようにミキサー本体とは別体のステーなどを設けることも考えられるが、部品点数、材料の加工・組み立て工程の増大等、コストの増大につながる。
【００１０】
本発明は、このような事情に鑑みてなされたもので、コスト増大を招くことなく、タブレット端末等を安定して載置可能な構造を有する音響調整コンソールを提供することを目的とする。
【課題を解決するための手段】
【００１１】
本発明は、信号処理チャンネルにおける音声信号処理のパラメータの値を調整するための複数の操作子を備えるチャンネルストリップが前記音声信号の入力チャンネルに対応して複数列並んで設けられた操作盤と、物品が載置可能な平坦なブランク領域を備える載置盤と、前記操作盤と前記載置盤とを接続する段差面とを筐体上面部に有し、前記操作盤が上段、前記載置盤が下段となるように前記段差面が設けられ、前記ブランク領域は、前記段差面側が低くなるように傾斜している。
【００１２】
この音響調整コンソールによれば、載置盤のブランク領域と段差面とによって、別部材の製造や組立を必要とすることなく、タブレット端末等を安定して載置可能な構造が実現される。
【００１３】
この音響調整コンソールにおいて、前記載置盤は、前記パラメータに関する情報を含む任意の情報を表示可能なディスプレイを備えるディスプレイ盤であってもよい。
【００１４】
この音響調整コンソールにおいて、前記ブランク領域の表面の傾斜角度は、水平面に対して１５°〜４０°であることが好ましい。この場合、ブランク領域に載置したタブレット端末やノートパソコンなどを操作しやすい。
【００１５】
この音響調整コンソールにおいて、前記段差面による前記操作盤と前記ディスプレイ盤との高さの差は８ｍｍ〜１６ｍｍであることが好ましい。この場合、ディスプレイ盤のディスプレイと操作盤との連続性、またディスプレイ盤上に載置したタブレット端末等と操作盤との連続性が良いので、視認性および操作性が良い。
【００１６】
この音響調整コンソールにおいて、前記操作盤、前記ディスプレイ盤および前記段差面は、１枚の金属板の折り曲げ加工により連続して形成されていることが好ましい。この場合、材料の加工および組立が容易であり、製造コストの増大を抑えることができる。
【００１７】
この音響調整コンソールにおいて、前記操作盤は第１金属板により形成され、前記ディスプレイ盤は第２金属板により形成され、これら第１金属板および第２金属板は前記段差面を形成するように結合されていることが好ましい。この場合、操作盤とディスプレイ盤とが別体なので、材質や色などを異ならせることが容易である。
【発明の効果】
【００１８】
本発明の音響調整コンソールによれば、コスト増大を招くことなく、タブレット端末等を安定して載置可能な構造を有する音響調整コンソールを提供できる。
【図面の簡単な説明】
【００１９】
【図１】本発明に係る音響調整コンソールの一実施形態を示す斜視図である。
【図２】図１に示す音響調整コンソールの側面図である。
【図３】本発明に係る音響調整コンソールにおける操作盤、段差面およびディスプレイ盤の構成例を示す模式図である。
【図４】本発明に係る音響調整コンソールにおける筐体上面部の取付構造を示す模式図である。
【図５】本発明に係る音響調整コンソールにおける操作盤、段差面およびディスプレイ盤の構成例を示す模式図である。
【図６】本発明に係る音響調整コンソールの変形例１を示す斜視図である。
【図７】本発明に係る音響調整コンソールの変形例２を示す斜視図である。
【図８】本発明に係る音響調整コンソールの変形例３を示す斜視図である。
【発明を実施するための形態】
【００２０】
以下、本発明に係る音響調整コンソールの実施形態について説明する。音響調整コンソール１０は、例えばデジタルミキサーであり、図１に示すように、入力チャンネルにおける音声信号処理のパラメータの値を調整するための複数の操作子２２を備えるチャンネルストリップ２１が複数列並んで設けられた操作盤２０と、タブレット端末等の物品が載置可能な平坦なブランク領域３２を備える載置盤３０と、操作盤２０と載置盤３０とを接続する段差面４０とを筐体上面部５２に有している。筐体上面部５２は、段差面４０を介して操作盤２０が上段、載置盤３０が下段となる段差状に設けられ、下部筐体部５０に取り付けられている。ブランク領域３２は、段差面４０側が低くなるように傾斜している。なお、本実施形態の音響調整コンソール１０における載置盤３０は、任意の情報を表示可能なディスプレイ３１と各種操作子等（マスターボリュームなど）が設けられた操作領域３３とを配列したディスプレイ盤３０である。
【００２１】
図２に示すように、音響調整コンソール１０の筐体上面部５２において、操作盤２０は略水平もしくは段差面４０側が高くなるように僅かに（例えば、水平面に対して０°〜４０°、ただしディスプレイ盤３０の水平面に対する傾斜以下）傾斜して設けられている。一方、ディスプレイ盤３０は段差面４０側が低くなるように、ディスプレイ３１の表面が水平面に対して例えばα＝１５°〜４０°傾斜するように形成されている。また、段差面４０による操作盤２０とディスプレイ盤３０との高さの差、すなわち段差面４０の幅は例えばｄ＝８ｍｍ〜１６ｍｍである。
【００２２】
換言すると、筐体上面部５２において、操作盤２０の一端から起立するディスプレイ盤３０の下端部に、操作盤２０上面からくぼんでディスプレイ盤３０に接続する段差面４０が設けられている。このため、ディスプレイ盤３０上に物品を載置しようとした場合、物品は段差面４０によって支えられる状態となる。
【００２３】
これら操作盤２０、ディスプレイ盤３０および段差面４０は、図３に示すように１枚の金属板１２の折り曲げ加工により連続して形成されている。この金属板１２の折り曲げ加工において、操作盤２０と段差面４０との境目は直線状の山折り、段差面４０とディスプレイ盤３０との境目は直線状の谷折りである。
【００２４】
図２〜４に示すように、金属板１２は、操作盤２０側の端縁部１２ａが丸められており、下部筐体部５０に設けられたヒンジ５１に対してこの端縁部１２ａが係合されることにより、下部筐体部５０に対して回動可能に取り付けられる。これにより、この音響調整コンソール１０は、筐体上面部５２を下部筐体部５０に対して容易に開閉できるため、内部のメインテナンスを容易に行うことができる。
【００２５】
筐体上面部５２の裏面においては、操作盤２０の裏面に取り付けられた基板６０ａとディスプレイ盤３０の裏面に取り付けられた基板６０ｂとが、段差面４０をまたいで結線されている。また、下部筐体部５０の内部においては、音響調整コンソール１０の背面１４に設けられた入出力端子６２を備える基板６０ｃ，６０ｄ，６０ｅ，６０ｆが、上下方向に積層状態で取り付けられている。これらの基板６０ｃ〜６０ｆは、水平面に対して傾斜したディスプレイ盤３０によって形成される、比較的高さが大きい空間内に効率よく配置される。
【００２６】
このように構成された音響調整コンソール１０は、複数の音声信号が複数の信号処理チャンネルに入力され、信号処理チャンネルごとの信号処理により信号レベル等の特性が調節された音声信号を混合して出力することができる。各信号処理チャンネルにおける信号処理に係る各種パラメータ（ゲイン調整、イコライザ、パン調整、主音量調整等のためのパラメータ）は、その信号処理チャンネルが割り当てられたチャンネルストリップ２１に備えられた各種操作子２２等の操作により調整される。各チャンネルストリップ２１は縦長に構成され、操作盤２０において、横方向に並んで複数設けられている。
【００２７】
各操作子２２は、ロータリーボリュームやロータリーエンコーダ等のノブ、スライド操作子（フェーダー操作子）、スイッチ等であり、１つのチャンネルストリップ２１について１セットの各種操作子２２と、必要に応じてＬＥＤやＬＣＤ等の各種表示器とが備えられている。各操作子２２は、板状の金属を折り曲げ加工してなる金属板１２に設けられた小孔、スリット等（図示略）を貫通して金属板１２の上面側に露出している。
【００２８】
このようなデジタルミキサーにおいて、各操作子２２に信号処理に係る各種のパラメータのうち所望のパラメータを割り当てて当該パラメータの調整を行うことにより、信号処理に係る各種パラメータの調整を少数の操作子２２によって行うことが可能になっている。例えば、チャンネルストリップ２１と同数のチャンネルを１セットとしたレイヤを複数、予め定義しておき、操作領域３３に備えられたレイヤスイッチによりいずれか１つのレイヤが選択されると、選択されたレイヤのチャンネルが複数のチャンネルストリップ２１に割り当てられる。各チャンネルストリップの各操作子２２には、信号処理に係る各種のパラメータのうち所望のパラメータが割り当てられている。それらのチャンネルにおける各種パラメータがディスプレイ３１あるいは各チャンネルストリップの表示器に表示される。
【００２９】
すなわち、デジタルミキサーにおいては、レイヤを切り替える等の操作により、１つのチャンネルストリップ２１に割り当てるチャンネルを変更することができ、１つのチャンネルストリップ２１の操作子２２を用いて、複数のチャンネルのパラメータを調整することが可能である。ただし、通常、各チャンネルの信号処理に係る各種パラメータの数は、１つのチャンネルストリップ２１の操作子２２の数より多い。そのため、一般的なデジタルミキサーにおいては、何れか１つのチャンネルを選択し、この選択されたチャンネルに関する複数のパラメータをディスプレイ３１に表示し、操作領域３３の操作子等を用いて集中的に調整できるよう構成されている（以下、選択チャンネル編集機能という）。
【００３０】
各種設定等に関する表示を行うディスプレイ３１を備える音響調整コンソール１０においては、チャンネルストリップ２１の近傍にディスプレイ３１が配置されていることが、操作性および視認性において好ましい。このため、ディスプレイ３１は操作盤２０に隣接して設けられたディスプレイ盤３０上に配置され、操作盤２０の各操作子２２を操作する操作者にとって見やすいように所定の角度で傾斜している。
【００３１】
上記選択チャンネル編集機能に係るディスプレイ３１での表示内容や操作態様は、選択チャンネル編集機能の仕様目的等に応じて比較自由に設計することができる。本実施形態に係る、音響調整コンソール１０においては、ディスプレイ３１と操作領域３３との設置面積を抑えることにより、表示デバイスや操作子等がなく平坦なブランク領域３２をさら形成している。
【００３２】
一方、この音響調整コンソール１０は、ネットワークを介して外部機器（リモート制御端末）からリモート制御を受ける機能を備えている。こういったリモート制御端末としてはリモート制御用のアプリケーションプログラム等の所定のソフトウェアを実行するノートパソコンやタブレット端末等を利用することができる。音響調整コンソール１０とリモート制御端末との接続には、無線・有線を問わず種々のネットワークを利用することができる。リモート制御端末では、上記選択チャンネル編集機能に係るディスプレイ３１の表示内容および操作領域３３の操作子に相当するGUI操作子部品等を用いて、上記選択チャンネル編集機能相当の機能を実現したり、本体のディスプレイ３１に加えてこれらの端末のディスプレイにも各種設定等に関する表示をさせることで表示機能や編集機能を拡張したりすることができる。例えば、リモート制御端末（図１ではタブレット端末Ｔを例示）をディスプレイ盤３０のブランク領域３２に載置すれば、各チャンネルストリップ２１における各操作子２２の操作を、リモート制御端末のディスプレイを見ながら行うこともできる。また、リモート制御端末に搭載されたソフトウェアを用いて、音響調整コンソール１０の個々のパラメータの値を調整あるいは編集することができる。
【００３３】
ブランク領域３２が形成されたディスプレイ盤３０とその下部に接続された段差面４０とによって、下方に凹む載置棚５４が形成される。ブランク領域３２は段差面４０側が低くなるように水平面に対して１５°〜４０°傾斜しているので、このブランク領域３２に載置されたタブレット端末Ｔは傾斜に沿って段差面４０にも接触し、安定して保持される。なお、この載置棚５４には、タブレット端末Ｔ等のリモート制御端末に限らず、必要に応じて台本やマイク等も載置することができる。
【００３４】
ブランク領域３２上に載置されたタブレット端末Ｔ等のリモート制御端末の表示画面は、ブランク領域３２と同様に水平面に対して１５°〜４０°傾斜するので、操作者による視認性に優れる。また、このリモート制御端末が表示画面としてタッチパネルを有するタブレット端末Ｔやキーボードを有するノートパソコン等である場合には、リモート制御端末の操作面がブランク領域３２と同様に水平面に対してほぼ１５°〜４０°傾斜するので、操作性に優れる。
【００３５】
以上説明した音響調整コンソール１０によれば、操作盤２０とディスプレイ盤３０との間に段差面４０が設けられることによって、タブレット端末、ノートパソコン等のリモート制御端末を安定して保持できる載置棚５４が形成される。この載置棚５４において、ディスプレイ盤３０に設けられたブランク領域３２が水平面に対して１５°〜４０°傾斜しているので、リモート制御端末を視認性および操作性よく利用できる。この傾斜角度が小さすぎると、ブランク領域３２に載置されたリモート制御端末の操作者による視認性および操作性が低下し、傾斜角度が大きすぎるとリモート制御端末を安定して載置することが困難になるおそれがある。本実施形態に係る音響調整コンソール１０においては、ブランク領域３２の傾斜角度が水平面に対して１５°〜４０°としたが、音響調整コンソール１０や操作盤２０のサイズや傾斜角度、あるいはリモート制御端末を用いて実現する表示機能や編集機能等を総合的に考慮して傾斜角度を設定することが好ましい。
【００３６】
また、段差面４０による操作盤２０とディスプレイ盤３０との高さの差が８ｍｍ〜１６ｍｍであることにより、操作盤２０とディスプレイ盤３０との連続性が良く、ブランク領域３２に載置されたタブレット端末Ｔ（リモート制御端末）と操作盤２０との連続性も良い。この高さの差が小さすぎると、リモート制御端末を安定して載置することが困難になり、高さの差が大きすぎると操作盤２０とディスプレイ３１およびタブレット端末Ｔ（リモート制御端末）との連続性が低下し、視認性および操作性が低下するおそれがある。本実施形態に係る音響調整コンソール１０においては、この高さの差を８ｍｍ〜１６ｍｍとしたが、載置が想定されるリモート制御端末の形状等（主に段差面４０と接する部分の幅・厚み等）を考慮して設定することが好ましい。
【００３７】
さらに、１枚の金属板１２を直線的に折り曲げるという比較的容易な加工によって段差面４０を形成できるので、部品点数や加工工程の増大によるコストの増大を抑えることができる。
【００３８】
なお、本発明は前記実施形態の構成のものに限定されるものではなく、細部構成においては、本発明の趣旨を逸脱しない範囲において種々の変更を加えることが可能である。例えば図５に示すように、操作盤２０は第１金属板１５により形成され、ディスプレイ盤３０は第２金属板１６により形成され、これら第１金属板１５および第２金属板１６が段差面４０を形成するように結合されていてもよい。操作盤２０とディスプレイ盤３０とを別部材とすることにより、例えば、第１金属板１５と第２金属板１６とを異なる色で塗装しておくことにより、低コストでツートンカラーにできる。
【００３９】
この場合、第１金属板１５の後端（図の右端）を所定の山折り幅ｄ１で山折りし、第２金属板１６の前端（図の左端）を所定の山折り幅ｄ２＜ｄ１で山折りしておき、各端縁を一致させた状態で第１金属板１５と第２金属板１６とをねじや溶接等によって固定することにより、山折り幅ｄ１とｄ２との差分に応じた高さの段差面４０が形成される。
【００４０】
図６〜８に本発明の変形例１〜３を示す。本発明は、載置盤に固定ディスプレイを備えない音響調整コンソールにも適用可能である。図６に示す変形例１に係る音響調整コンソール１１０は、載置盤１１１の固定ディスプレイを廃止することにより左右方向のサイズが短縮されており、複数台横に並べてカスケード接続（特許４９９２４８３号等参照）して使用することができる。この場合、並べた台数だけブランク領域１１２を広げることができ、さらに複数台のリモート制御端末や台本等を並べて載置することが可能となる。
【００４１】
図７に示す変形例２に係る音響調整コンソール１２０は、本体の厚みを増すことにより操作盤１２１の下部スペースを大きくでき、内部に配置する基板の面積を拡大することが可能となる。
【００４２】
図８に示す変形例３に係る音響調整コンソール１３０では、操作盤１３１の奥行きを小さくすることにより載置盤１３２が操作者に近く、例えば載置盤１３２にリモート制御端末（図８ではクラムシェル型のノートパソコンＮを例示）を載置した場合に表示画面が遠くならない。
【００４３】
本実施形態に係る音響調整コンソールは、それ自身が音声信号の処理を行うものであっても良いし、音響調整コンソールは各種操作のためのユーザインターフェース（操作子２２やディスプレイ３１、操作領域３３等）機能のみを有し、信号処理はエンジンと呼ばれる外部機器にて行うものであってもよい。この場合、音響調整コンソールとエンジンとはネットワークを介して接続されており、音響調整コンソール（およびリモート制御端末）はエンジンをリモート制御する構成となる。
【００４４】
或いは、パーソナルコンピュータ（ＰＣ）等で動作するデジタルワークステーション（ＤＡＷ）として知られるアプリケーションプログラム用のフィジカルコントローラに適用してもよく、さらに、そのＤＡＷが動作するＰＣは、音響調整コンソールの載置盤に載置されるリモート制御端末であってもよい。その場合、ＤＡＷを実行しているＰＣ（リモート制御端末）が上記エンジンに相当する。
【符号の説明】
【００４５】
１０，１１０，１２０，１３０  音響調整コンソール
１２  金属板
１２ａ  端縁部
１４  背面
１５  第１金属板
１６  第２金属板
２０，１２１，１３１  操作盤
２１  チャンネルストリップ
２２  操作子
３０  ディスプレイ盤（載置盤）
３１  ディスプレイ
３２，１１２  ブランク領域
３３  操作領域
４０  段差面
５０  下部筐体部
５１  ヒンジ
５２  筐体上面部
５４  載置棚
６０ａ〜６０ｆ  基板
６２  入出力端子
１１１，１３２  載置盤
Ｎ  ノートパソコン（リモート制御端末）
Ｔ  タブレット端末（リモート制御端末）
【図１】
2015076787.tif 000003
【図２】
2015076787.tif 000004
【図３】
2015076787.tif 000005
【図４】
2015076787.tif 000006
【図５】
2015076787.tif 000007
【図６】
2015076787.tif 000008
【図７】
2015076787.tif 000009
【図８】
2015076787.tif 000010